【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
ユーザーイクイップメント（ＵＥ）デバイスによって実行されるネットワーク選択方法であって、
第１バンドを介してアクセス可能な広域セルラネットワーク（ＷＡＣＮ）のリストを取得するステップと、
第２バンドを介して利用可能な広域セルラネットワーク（ＷＡＣＮ）が該第１バンドを介してアクセス可能なＷＡＣＮの該リスト中にあるか否かを決定するステップと、
該第２バンドを介して利用可能な該ＷＡＣＮがＷＡＣＮの該リスト中にあることを決定した場合に、該ＷＡＣＮを選択するステップと
を包含する、方法。
【請求項２】
前記ＷＡＣＮに関連付けられたジェネリックアクセスネットワークコントローラ（ＧＡＮＣ）に登録するステップをさらに含む、請求項１に記載の方法。
【請求項３】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項１に記載の方法。
【請求項４】
前記ＷＡＣＮはＰＬＭＮである、請求項１に記載の方法。
【請求項５】
前記第１バンドは、ジェネリックアクセスネットワーク（ＧＡＮ）バンドである、請求項１に記載の方法。
【請求項６】
ＷＡＣＮの前記リストは、前記第１のバンドにおけるアクティブスキャニングを介して取得される、請求項１に記載の方法。
【請求項７】
前記ＷＡＣＮに関連付けられた前記ＧＡＮＣは、オペレータによって制御されるＧＡＮＣリストから選択される、請求項２に記載の方法。
【請求項８】
前記オペレータによって制御されるＧＡＮＣリストは、前記第１バンドにおけるアクティブスキャニングに応答して取得される、請求項７に記載の方法。
【請求項９】
前記ＷＡＣＮは、ＧＰＲＳ（Ｇｅｒｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、請求項１に記載の方法。
【請求項１０】
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ＬＡＮ（ＷＬＡＮ）に準拠する周波数バンドを備える、請求項１に記載の方法。
【請求項１１】
前記第２バンドは、ＷＡＣＮ周波数バンドを備える、請求項１に記載の方法。
【請求項１２】
ＷＡＣＮの前記リストは、オペレータによって制御されるリストである、請求項１に記載の方法。
【請求項１３】
ユーザーイクイップメント（ＵＥ）デバイスであって、
第１バンドを介してアクセス可能な広域セルラネットワーク（ＷＡＣＮ）のリストを取得するように構成されたコンポーネントと、
第２バンドを介して利用可能な広域セルラネットワーク（ＷＡＣＮ）が該第１バンドを介してアクセス可能なＷＡＣＮの該リスト中にあるか否かを決定するように構成されたコンポーネントと、
該第２バンドを介して利用可能な該ＷＡＣＮがＷＡＣＮの該リスト中にあることを決定した場合に、該ＷＡＣＮを選択するように構成されたコンポーネントと
を備える、ＵＥデバイス。
【請求項１４】
前記ＷＡＣＮに関連付けられたジェネリックアクセスネットワークコントローラ（ＧＡＮＣ）に前記ＵＥデバイスを登録するように構成されたコンポーネントをさらに含む、請求項１３に記載のＵＥデバイス。
【請求項１５】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項１３に記載のＵＥデバイス。
【請求項１６】
前記ＷＡＣＮはＰＬＭＮである、請求項１３に記載のＵＥデバイス。
【請求項１７】
前記第１バンドは、ジェネリックアクセスネットワーク（ＧＡＮ）バンドである、請求項１３に記載のＵＥデバイス。
【請求項１８】
ＷＡＣＮの前記リストは、前記第１のバンドにおけるアクティブスキャニングを介して取得される、請求項１３に記載のＵＥデバイス。
【請求項１９】
前記ＷＡＣＮに関連付けられた前記ＧＡＮＣは、オペレータによって制御されるＧＡＮＣリストから選択される、請求項１４に記載のＵＥデバイス。
【請求項２０】
前記オペレータによって制御されるＧＡＮＣリストは、前記第１バンドにおけるアクティブスキャニングに応答して取得される、請求項１４に記載のＵＥデバイス。
【請求項２１】
前記ＷＡＣＮは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ）ネットワーク、ＵＭＴＳ（Ｕｎｉｖｅｒｓａｌ  Ｍｏｂｉｌｅ  Ｔｅｌｅｃｏｍｕｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、請求項１３に記載のＵＥデバイス。
【請求項２２】
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ローカルエリアネットワーク（ＷＬＡＮ）規格に準拠する周波数バンドを備える、請求項１３に記載のＵＥデバイス。
【請求項２３】
前記第２バンドは、ＷＡＣＮ周波数バンドを備える、請求項１３に記載のＵＥデバイス。
【請求項２４】
ＷＡＣＮの前記リストは、オペレータによって制御されるリストである、請求項１３に記載のＵＥデバイス。
【請求項２５】
ネットワーク選択システムであって、
第１バンドを介してアクセス可能な広域セルラネットワーク（ＷＡＣＮ）のリストを取得する手段と、
第２バンドを介して利用可能な広域セルラネットワーク（ＷＡＣＮ）が、該第１バンドを介してアクセス可能なＷＡＣＮの該リスト中にあるか否かを決定する手段と、
該第２バンドを介して利用可能な該ＷＡＣＮがＷＡＣＮの該リスト中にあることを決定したことに応答して、該ＷＡＣＮを選択する手段と
を備える、システム。
【請求項２６】
前記ＷＡＣＮに関連付けられたジェネリックアクセスネットワークコントローラ（ＧＡＮＣ）に登録する手段をさらに含む、請求項２５に記載のシステム。
【請求項２７】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項２５に記載のシステム。
【請求項２８】
前記ＷＡＣＮはＰＬＭＮである、請求項２５に記載のシステム。
【請求項２９】
前記第１バンドは、ジェネリックアクセスネットワーク（ＧＡＮ）バンドである、請求項２５に記載のシステム。
【請求項３０】
ＷＡＣＮの前記リストは、前記第１のバンドにおけるアクティブスキャニングを介して取得される、請求項２５に記載のシステム。
【請求項３１】
前記ＷＡＣＮに関連付けられた前記ＧＡＮＣは、オペレータによって制御されるＧＡＮＣリストから選択される、請求項２６に記載のシステム。
【請求項３２】
前記オペレータによって制御されるＧＡＮＣリストは、前記第１バンドにおけるアクティブスキャニングに応答して取得される、請求項２６に記載のシステム。
【請求項３３】
前記ＷＡＣＮは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ）ネットワーク、ＵＭＴＳ（Ｕｎｉｖｅｒｓａｌ  Ｍｏｂｉｌｅ  Ｔｅｌｅｃｏｍｕｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、請求項２５に記載のシステム。
【請求項３４】
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ローカルエリアネットワーク（ＷＬＡＮ）規格に準拠する周波数バンドを備える、請求項２５に記載のシステム。
【請求項３５】
前記第２バンドは、ＷＡＣＮ周波数バンドを備える、請求項２５に記載のシステム。
【請求項３６】
ＷＡＮＣの前記リストは、オペレータによって制御されるリストである、請求項２５に記載のシステム。